(57)【特許請求の範囲】
【請求項１】
血液浄化器と、
洗浄液が貯留された洗浄液貯留部と、
前記血液浄化器と前記洗浄液貯留部とを接続する洗浄流路と、
前記洗浄流路上に設けられ気泡を検知する検知器と、
前記血液浄化器に連通し前記洗浄液を排出する排出流路と、
輸液を貯留する輸液貯留部と、
前記検知器と前記輸液貯留部との間の流路上に設けられたポンプと、
前記検知器が気泡を検知した場合に、前記輸液貯留部から前記検知器を経由して前記洗浄液貯留部へと前記輸液を供給するように前記ポンプを作動させる制御部と、
を備える、血液浄化装置。
【請求項２】
前記輸液貯留部と前記排出流路とを接続する輸液流路と、
前記輸液流路の開閉を行う第一の開閉弁と、
前記排出流路の前記輸液流路よりも下流側に設けられて前記排出流路の開閉を行う第二の開閉弁と、を備え、
前記ポンプは、前記検知器と前記輸液流路との間の前記排出流路上に設けられており、
前記制御部は、プライミング時に前記第一の開閉弁で前記輸液流路を閉鎖して前記第二の開閉弁で前記排出流路を開放するとともに前記ポンプを正転作動させる一方、前記検知器が気泡を検知した場合に、前記第一の開閉弁で前記輸液流路を開放して前記第二の開閉弁で前記排出流路を閉塞するとともに前記ポンプを逆転作動させることにより前記輸液貯留部から前記検知器を経由して前記洗浄液貯留部へと前記輸液を供給する、請求項１に記載の血液浄化装置。
【請求項３】
前記輸液貯留部と前記排出流路とを接続する輸液流路と、
前記排出流路上の前記輸液流路よりも下流側に設けられたプライミングポンプと、を備え、
前記ポンプは、前記輸液流路上に設けられた輸液ポンプであり、
前記制御部は、プライミング時に前記プライミングポンプを正転作動させる一方、前記検知器が気泡を検知した場合に、前記プライミングポンプを停止させて前記輸液ポンプを作動させることにより前記輸液貯留部から前記検知器を経由して前記洗浄液貯留部へと前記輸液を供給する、請求項１に記載の血液浄化装置。
【請求項４】
前記輸液貯留部と前記排出流路とを接続する輸液流路と、
前記輸液流路上に設けられた輸液ポンプと、を備え、
前記ポンプは、前記排出流路上の前記輸液流路よりも上流側に設けられたプライミングポンプであり、
前記制御部は、プライミング時に前記プライミングポンプを正転作動させる一方、前記検知器が気泡を検知した場合に、前記プライミングポンプを逆転作動させて前記輸液ポンプを作動させることにより前記輸液貯留部から前記検知器を経由して前記洗浄液貯留部へと前記輸液を供給する、請求項１に記載の血液浄化装置。
【請求項５】
前記制御部は、前記プライミングポンプを逆転作動させて前記輸液ポンプを作動させる際に、前記プライミングポンプの流量を前記輸液ポンプの流量よりも小さくする、請求項４に記載の血液浄化装置。
【請求項６】
前記輸液貯留部と前記洗浄流路又は前記血液浄化器とを接続する輸液流路と、
前記排出流路上に設けられたプライミングポンプと、を備え、
前記ポンプは、前記輸液流路上に設けられた輸液ポンプであり、
前記制御部は、プライミング時に前記プライミングポンプを正転作動させる一方、前記検知器が気泡を検知した場合に、前記プライミングポンプを停止させて前記輸液ポンプを作動させることにより前記輸液貯留部から前記検知器を経由して前記洗浄液貯留部へと前記輸液を供給する、請求項１に記載の血液浄化装置。
【請求項７】
前記洗浄流路は、患者返血部と前記血液浄化器を接続する静脈ラインである、請求項２から６の何れか一項に記載の血液浄化装置。
【請求項８】
前記輸液貯留部と前記排出流路とを接続する輸液流路と、
前記輸液流路の開閉を行う第一の開閉弁と、
前記排出流路の前記輸液流路よりも下流側に設けられた第二の開閉弁と、を備え、
前記ポンプは、前記洗浄流路上に設けられており、
前記制御部は、プライミング時に前記第一の開閉弁で前記輸液流路を閉鎖して前記第二の開閉弁で前記排出流路を開放するとともに前記ポンプを正転作動させる一方、前記検知器が気泡を検知した場合に、前記第一の開閉弁で前記輸液流路を開放して前記第二の開閉弁で前記排出流路を閉塞するとともに前記ポンプを逆転作動させることにより前記輸液貯留部から前記検知器を経由して前記洗浄液貯留部へと前記輸液を供給する、請求項１に記載の血液浄化装置。
【請求項９】
前記輸液貯留部と前記排出流路とを接続する輸液流路と、
前記洗浄流路上に設けられたプライミングポンプと、を備え、
前記ポンプは、前記輸液流路上に設けられた輸液ポンプであり、
前記制御部は、プライミング時に前記プライミングポンプを正転作動させる一方、前記検知器が気泡を検知した場合に、前記プライミングポンプを逆転作動させて前記輸液ポンプを作動させることにより前記輸液貯留部から前記検知器を経由して前記洗浄液貯留部へと前記輸液を供給する、請求項１に記載の血液浄化装置。
【請求項１０】
前記輸液貯留部と前記洗浄流路とを接続する輸液流路と、
前記洗浄流路上の前記輸液流路よりも上流側に設けられたプライミングポンプと、を備え、
前記ポンプは、前記輸液流路上に設けられた輸液ポンプであり、
前記制御部は、プライミング時に前記プライミングポンプを正転作動させる一方、前記検知器が気泡を検知した場合に、前記プライミングポンプを逆転作動させて前記輸液ポンプを作動させることにより前記輸液貯留部から前記検知器を経由して前記洗浄液貯留部へと前記輸液を供給する、請求項１に記載の血液浄化装置。
【請求項１１】
前記輸液貯留部と前記血液浄化器とを接続する輸液流路と、
前記洗浄流路上に設けられたプライミングポンプと、を備え、
前記ポンプは、前記輸液流路上に設けられた輸液ポンプであり、
前記制御部は、プライミング時に前記プライミングポンプを正転作動させる一方、前記検知器が気泡を検知した場合に、前記プライミングポンプを逆転作動させて前記輸液ポンプを作動させることにより前記輸液貯留部から前記検知器を経由して前記洗浄液貯留部へと前記輸液を供給する、請求項１に記載の血液浄化装置。
【請求項１２】
前記制御部は、前記プライミングポンプを逆転作動させて前記輸液ポンプを作動させる際に、前記プライミングポンプの流量を前記輸液ポンプの流量よりも小さくする、請求項９から１１の何れか一項に記載の血液浄化装置。
【請求項１３】
前記輸液貯留部と前記洗浄流路とを接続する輸液流路と、
前記洗浄流路上の前記輸液流路よりも下流側に設けられたプライミングポンプと、を備え、
前記ポンプは、前記輸液流路上に設けられた輸液ポンプであり、
前記制御部は、プライミング時に前記プライミングポンプを正転作動させる一方、前記検知器が気泡を検知した場合に、前記プライミングポンプを停止させて前記輸液ポンプを作動させることにより前記輸液貯留部から前記検知器を経由して前記洗浄液貯留部へと前記輸液を供給する、請求項１に記載の血液浄化装置。
【請求項１４】
前記洗浄流路は、患者脱血部と前記血液浄化器を接続する動脈ラインである、請求項８から１３の何れか一項に記載の血液浄化装置。
【請求項１５】
前記洗浄流路は、患者脱血部と前記血液浄化器を接続する動脈ラインに配置されたプライミングラインを有する、請求項８から１３の何れか一項に記載の血液浄化装置。
【請求項１６】
前記制御部は、前記検知器が気泡を検知した場合に、前記ポンプを所定量作動させた後に警報を発生させる、請求項１から１５の何れか一項に記載の血液浄化装置。
【請求項１７】
前記制御部は、前記検知器が気泡を検知した場合に、警報を発生させるとともに前記ポンプを停止させ、警報解除後に前記ポンプを作動させる、請求項１から１５の何れか一項に記載の血液浄化装置。
【請求項１８】
血液浄化器と、洗浄液が貯留された洗浄液貯留部と、前記血液浄化器と前記洗浄液貯留部とを接続する洗浄流路と、前記洗浄流路上に設けられ気泡を検知する検知器と、前記血液浄化器に連通し前記洗浄液を排出する排出流路と、輸液を貯留する輸液貯留部と、前記検知器と前記輸液貯留部との間の流路上に設けられたポンプと、を備える血液浄化装置のプライミング方法であって、
前記検知器がプライミング中に気泡を検知した場合に、前記輸液貯留部から前記検知器を経由して前記洗浄液貯留部へと前記輸液を供給するように前記ポンプを作動させる工程を含む、血液浄化装置のプライミング方法。
【発明の詳細な説明】
【技術分野】
【０００１】
本発明は、血液浄化装置及びそのプライミング方法に関する。
【背景技術】
【０００２】
従来より、患者の体内から血液を取り出しこの血液から病因物質や特定の白血球等を除去して体内に戻す血液浄化治療が実施されている。このような血液浄化治療においては、体内から取り出した血液を循環させて体内に戻すための血液回路と、特定の物質を除去・分離する吸着材や分離材等の処理材を有する血液浄化器と、を備える血液浄化装置が使用されている。【０００３】
このような血液浄化装置を用いて血液浄化治療を実施する前には、使用する血液回路や血液処理器の内部を、生理食塩水や透析液等の清浄な液体（洗浄液）で洗浄する「プライミング」という処理を行うのが一般的である。現在においては、このようなプライミングを自動的に行うための技術が種々提案されている（例えば、特許文献１及び２参照）。
【先行技術文献】
【特許文献】
【０００４】
【特許文献１】特開２００５−２５３５５５号公報
【特許文献２】特開２００７−１９００６８号公報
【発明の概要】
【発明が解決しようとする課題】
【０００５】
ところで、プライミング中に洗浄液が消費された結果、洗浄液を貯留する洗浄液貯留部が空になる場合がある。従来は、このような事態に備えて、洗浄液貯留部に接続された洗浄流路に空検知器を設け、この空検知器で気泡を検知した場合に自動的にプライミングを停止させ、その後、洗浄流路に設けられた点滴筒をユーザが押しつぶす操作を行うことで、点滴筒と洗浄液貯留部との間の洗浄流路に洗浄液を充填して気泡を除去していた。【０００６】
但し、点滴筒を押しつぶす操作は煩雑であるため、近年においては、空検知器で気泡を検知した場合に洗浄流路に設けたポンプを逆転させることにより自動的に気泡を除去する技術も検討されている。ところが、このようにポンプを逆転させると、洗浄に使用された排液や空気を血液回路の他端から吸い込んでしまうため、清潔性を維持できないという問題があった。【０００７】
本発明は、かかる事情に鑑みてなされたものであり、血液浄化装置のプライミング中に気泡が検出された場合に、装置の清潔性を維持しつつ自動的に気泡を除去することを目的とする。
【課題を解決するための手段】
【０００８】
前記目的を達成するため、本発明に係る血液浄化装置は、血液浄化器と、洗浄液が貯留された洗浄液貯留部と、血液浄化器と洗浄液貯留部とを接続する洗浄流路と、洗浄流路上に設けられ気泡を検知する検知器と、血液浄化器に連通し洗浄液を排出する排出流路と、輸液を貯留する輸液貯留部と、検知器と輸液貯留部との間の流路上に設けられたポンプと、検知器が気泡を検知した場合に、輸液貯留部から検知器を経由して洗浄液貯留部へと輸液を供給するようにポンプを作動させる制御部と、を備えるものである。【０００９】
また、本発明に係るプライミング方法は、血液浄化器と、洗浄液が貯留された洗浄液貯留部と、血液浄化器と洗浄液貯留部とを接続する洗浄流路と、洗浄流路上に設けられ気泡を検知する検知器と、血液浄化器に連通し洗浄液を排出する排出流路と、輸液を貯留する輸液貯留部と、検知器と輸液貯留部との間の流路上に設けられたポンプと、を備える血液浄化装置のプライミング方法であって、検知器がプライミング中に気泡を検知した場合に、輸液貯留部から検知器を経由して洗浄液貯留部へと輸液を供給するようにポンプを作動させる工程を含むものである。【００１０】
かかる構成及び方法を採用すると、洗浄流路上に設けられた検知器が気泡を検知した場合に、輸液貯留部から検知器を経由して洗浄液貯留部へと輸液を供給するようにポンプを作動させることができる。従って、洗浄流路に存在する気泡を輸液によって除去することができる。洗浄流路に存在する気泡を除去するために、洗浄流路や排出流路に配置したポンプを単に逆転させるだけでは、排出流路の末端から使用済みの排液や空気を吸い込むことになるが、本装置のように検知器と輸液貯留部との間に設けたポンプを作動させて、輸液貯留部から検知器を経由して洗浄液貯留部へと輸液を供給することにより、排出流路の末端から使用済みの排液や空気を吸い込むことを防止することができ、装置の清潔性を維持することができる。【００１１】
本発明に係る血液浄化装置において、輸液貯留部と排出流路とを接続する輸液流路と、輸液流路の開閉を行う第一の開閉弁と、排出流路の輸液流路よりも下流側に設けられて排出流路の開閉を行う第二の開閉弁と、を備え、検知器と輸液流路との間の排出流路上にポンプを設けることができる。かかる場合において、制御部は、プライミング時に第一の開閉弁で輸液流路を閉鎖して第二の開閉弁を開放するとともにポンプを正転作動させる一方、検知器が気泡を検知した場合に、第一の開閉弁で輸液流路を開放して第二の開閉弁を閉塞するとともにポンプを逆転作動させることにより輸液貯留部から検知器を経由して洗浄液貯留部へと輸液を供給することができる（第一の態様）。【００１２】
本発明に係る血液浄化装置において、輸液貯留部と排出流路とを接続する輸液流路と、排出流路上の輸液流路よりも下流側に設けられたプライミングポンプと、を備え、ポンプとして、輸液流路上に設けられた輸液ポンプを採用することができる。かかる場合において、制御部は、プライミング時にプライミングポンプを正転作動させる一方、検知器が気泡を検知した場合に、プライミングポンプを停止させて輸液ポンプを作動させることにより輸液貯留部から検知器を経由して洗浄液貯留部へと輸液を供給することができる（第二の態様）。【００１３】
本発明に係る血液浄化装置において、輸液貯留部と排出流路とを接続する輸液流路と、輸液流路上に設けられた輸液ポンプと、を備え、ポンプとして、排出流路上の輸液流路よりも上流側に設けられたプライミングポンプを採用することができる。かかる場合において、制御部は、プライミング時にプライミングポンプを正転作動させる一方、検知器が気泡を検知した場合に、プライミングポンプを逆転作動させて輸液ポンプを作動させることにより輸液貯留部から検知器を経由して洗浄液貯留部へと輸液を供給することができる。また、制御部は、プライミングポンプを逆転作動させて輸液ポンプを作動させる際に、プライミングポンプの流量を輸液ポンプの流量よりも小さくすることができる（第三の態様）。【００１４】
本発明に係る血液浄化装置において、輸液貯留部と洗浄流路又は血液浄化器とを接続する輸液流路と、排出流路上に設けられたプライミングポンプと、を備え、ポンプとして、輸液流路上に設けられた輸液ポンプを採用することができる。かかる場合において、制御部は、プライミング時にプライミングポンプを正転作動させる一方、検知器が気泡を検知した場合に、プライミングポンプを停止させて輸液ポンプを作動させることにより輸液貯留部から検知器を経由して洗浄液貯留部へと輸液を供給することができる（第四の態様）。【００１５】
第一〜第四の態様の血液浄化装置においては、洗浄流路として、患者返血部と血液浄化器を接続する静脈ラインを採用することができる。【００１６】
本発明に係る血液浄化装置において、輸液貯留部と排出流路とを接続する輸液流路と、輸液流路の開閉を行う第一の開閉弁と、排出流路の輸液流路よりも下流側に設けられた第二の開閉弁と、を備え、ポンプを、洗浄流路上に設けることができる。かかる場合において、制御部は、プライミング時に第一の開閉弁で輸液流路を閉鎖して第二の開閉弁で排出流路を開放するとともにポンプを正転作動させる一方、検知器が気泡を検知した場合に、第一の開閉弁で輸液流路を開放して第二の開閉弁で排出流路を閉塞するとともにポンプを逆転作動させることにより輸液貯留部から検知器を経由して洗浄液貯留部へと輸液を供給することができる（第五の態様）。【００１７】
本発明に係る血液浄化装置において、輸液貯留部と排出流路とを接続する輸液流路と、洗浄流路上に設けられたプライミングポンプと、を備え、ポンプとして、輸液流路上に設けられた輸液ポンプを採用することができる。かかる場合において、制御部は、プライミング時にプライミングポンプを正転作動させる一方、検知器が気泡を検知した場合に、プライミングポンプを逆転作動させて輸液ポンプを作動させることにより輸液貯留部から検知器を経由して洗浄液貯留部へと輸液を供給することができる（第六の態様）。【００１８】
本発明に係る血液浄化装置において、輸液貯留部と洗浄流路とを接続する輸液流路と、洗浄流路上の輸液流路よりも上流側に設けられたプライミングポンプと、を備え、ポンプとして、輸液流路上に設けられた輸液ポンプを採用することができる。かかる場合において、制御部は、プライミング時にプライミングポンプを正転作動させる一方、検知器が気泡を検知した場合に、プライミングポンプを逆転作動させて輸液ポンプを作動させることにより輸液貯留部から検知器を経由して洗浄液貯留部へと輸液を供給することができる（第七の態様）。【００１９】
本発明に係る血液浄化装置において、輸液貯留部と血液浄化器とを接続する輸液流路と、洗浄流路上に設けられたプライミングポンプと、を備え、ポンプとして、輸液流路上に設けられた輸液ポンプを採用することができる。かかる場合において、制御部は、プライミング時にプライミングポンプを正転作動させる一方、検知器が気泡を検知した場合に、プライミングポンプを逆転作動させて輸液ポンプを作動させることにより輸液貯留部から検知器を経由して洗浄液貯留部へと輸液を供給することができる（第八の態様）。【００２０】
第六〜第八の態様の血液浄化装置において、制御部は、プライミングポンプを逆転作動させて輸液ポンプを作動させる際に、プライミングポンプの流量を輸液ポンプの流量よりも小さくすることができる。【００２１】
本発明に係る血液浄化装置において、輸液貯留部と洗浄流路とを接続する輸液流路と、洗浄流路上の輸液流路よりも下流側に設けられたプライミングポンプと、を備え、ポンプとして、輸液流路上に設けられた輸液ポンプを採用することができる。かかる場合において、制御部は、プライミング時にプライミングポンプを正転作動させる一方、検知器が気泡を検知した場合に、プライミングポンプを停止させて輸液ポンプを作動させることにより輸液貯留部から検知器を経由して洗浄液貯留部へと輸液を供給することができる（第九の態様）。【００２２】
第五〜第九の態様の血液浄化装置においては、洗浄流路として、患者脱血部と血液浄化器を接続する動脈ラインを採用することができる。また、第五〜第九の態様の血液浄化装置においては、洗浄流路は、患者脱血部と血液浄化器を接続する動脈ラインに配置されたプライミングラインを有してもよい。【００２３】
本発明に係る血液浄化装置において、制御部は、検知器が気泡を検知した場合に、ポンプを所定量作動させた後に警報を発生させることができる。また、制御部は、検知器が気泡を検知した場合に、警報を発生させるとともにポンプを停止させ、警報解除後にポンプを作動させることもできる。
【発明の効果】
【００２４】
本発明によれば、血液浄化装置のプライミング中に気泡が検出された場合に、装置の清潔性を維持しつつ自動的に気泡を除去することが可能となる。
【図面の簡単な説明】
【００２５】
【図１】本発明の第一実施形態に係る血液浄化装置の構成を説明するための構成図である。
【図２】本発明の第二実施形態に係る血液浄化装置の構成を説明するための構成図である。
【図３】本発明の第三実施形態に係る血液浄化装置の構成を説明するための構成図である。
【図４】本発明の第四実施形態に係る血液浄化装置の構成を説明するための構成図である。
【図５】本発明の第四実施形態に係る血液浄化装置の変形例を説明するための構成図である。
【図６】本発明の第五実施形態に係る血液浄化装置の構成を説明するための構成図である。
【図７】本発明の第六実施形態に係る血液浄化装置の構成を説明するための構成図である。
【図８】本発明の第七実施形態に係る血液浄化装置の構成を説明するための構成図である。
【図９】本発明の第八実施形態に係る血液浄化装置の構成を説明するための構成図である。
【図１０】本発明の第九実施形態に係る血液浄化装置の構成を説明するための構成図である。
【図１１】本発明の第五〜九実施形態に係る血液浄化装置の変形例を説明するための構成図である。
【発明を実施するための形態】
【００２６】
以下、図面を参照して、本発明の各実施形態について説明する。なお、以下の各実施形態はあくまでも好適な適用例であって、本発明の適用範囲がこれに限定されるものではない。
【００２７】
＜第一実施形態＞
まず、図１を用いて、本発明の第一実施形態に係る血液浄化装置１の構成について説明する。
【００２８】
本実施形態に係る血液浄化装置１は、いわゆる白血球除去療法（ＬＣＡＰ）に用いられるものであり、図１に示すように、血液浄化器１０、洗浄液貯留部２０、洗浄流路３０、気泡検知器４０、排出流路５０、輸液貯留部６０、輸液流路７０、プライミングポンプ８０、制御部９０、等を備えている。
【００２９】
血液浄化器１０は、血液入口から導入された血液に含まれる活性化した白血球をフィルタにより除去することにより浄化し、浄化された血液を血液出口から排出するものである。フィルタとしては、白血球を除去する吸着材を有するものを採用することができる。
【００３０】
洗浄液貯留部２０は、プライミング用の洗浄液（例えば生理食塩水等）を貯留する容器であり、洗浄流路３０の端部に接続されている。洗浄流路３０は、血液浄化器１０と洗浄液貯留部２０とを接続し、洗浄液貯留部２０から供給される洗浄液を血液浄化器１０へと流通させるための流路である。本実施形態においては、洗浄流路３０として、患者返血部と血液浄化器１０を接続する静脈ラインを採用している。
【００３１】
気泡検知器４０は、洗浄流路３０上に設けられて、洗浄流路３０を流通する洗浄液に含まれる気泡を検知するものである。気泡検知器４０の検知結果に関する情報は、制御部９０に送られて、プライミングポンプ８０等の制御に用いられる。
【００３２】
排出流路５０は、血液浄化器１０を経由した洗浄液を流通させて外部に排出するための流路であり、血液浄化器１０に連通している。本実施形態においては、排出流路５０として、患者脱血部と血液浄化器１０を接続する動脈ラインを採用している。排出流路５０の輸液流路７０よりも下流側には、制御部９０の制御の下で作動して排出流路５０の開閉を行う第二の開閉弁５１が設けられている。
【００３３】
輸液貯留部６０は、輸液（例えば生理食塩水等）を貯留する容器であり、輸液流路７０を介して排出流路５０に接続されている。輸液流路７０には、制御部９０の制御の下で作動して輸液流路７０の開閉を行う第一の開閉弁７１が設けられている。
【００３４】
プライミングポンプ８０は、排出流路５０上の輸液流路７０よりも上流側（気泡検知器４０と輸液貯留部６０との間）に設けられており、制御部９０の制御の下で正転作動することにより、プライミング処理を実現させる。また、プライミングポンプ８０は、制御部９０の制御の下で逆転作動することにより、気泡除去処理を実現させる。なお、本実施形態において「上流側」及び「下流側」とは、プライミング時において洗浄液の流れる方向を基準としており、洗浄液貯留部２０側を「上流側」、第二の開閉弁５１側を「下流側」と称している。
【００３５】
制御部９０は、例えばメモリやＣＰＵ（Central Processing Unit）等を備えたコンピュータにより構成され、メモリに記録された各種プログラムをＣＰＵが実行することにより、血液浄化装置１の各種機器を制御する。
【００３６】
本実施形態における制御部９０は、第一の開閉弁７１で輸液流路７０を閉鎖して第二の開閉弁５１で排出流路５０を開放するとともにプライミングポンプ８０を正転作動させることにより、プライミング処理（洗浄液貯留部２０内の洗浄液を、洗浄流路３０を経由させて血液浄化器１０に流通させた後、排出流路５０を経由させて排出する処理）を実現させる。一方、制御部９０は、気泡検知器４０がプライミング中に気泡を検知した場合に、第一の開閉弁７１で輸液流路７０を開放して第二の開閉弁５１で排出流路５０を閉塞するとともにプライミングポンプ８０を逆転作動させることにより、気泡除去処理（輸液貯留部６０内の輸液を、輸液流路７０、排出流路５０、血液浄化器１０及び洗浄流路３０を順次経由させて、洗浄液貯留部２０へと供給する処理）を実現させる。なお、プライミングポンプ８０の「正転作動」とは、洗浄液を上流側から下流側に流通させるようにプライミングポンプ８０を回転させることであり、「逆転作動」とは、その反対方向にプライミングポンプ８０を回転させることである。
【００３７】
また、本実施形態における制御部９０は、気泡検知器４０がプライミング中に気泡を検知した場合に、プライミングポンプ８０を所定量作動させた後に警報を発生させる。なお、制御部９０は、気泡検知器４０がプライミング中に気泡を検知した場合に、警報を発生させるとともにプライミングポンプ８０を停止させ、警報解除後にプライミングポンプ８０を作動させることもできる。また、制御部９０は、操作者の指示に基づいて、警報解除後にプライミングポンプ８０を作動させることもできる。
【００３８】
次に、本実施形態に係る血液浄化装置１のプライミング方法について説明する。
【００３９】
血液浄化装置１の制御部９０は、第一の開閉弁７１で輸液流路７０を閉鎖して第二の開閉弁５１で排出流路５０を開放するとともに、プライミングポンプ８０を正転作動させることにより、洗浄液貯留部２０内の洗浄液を、洗浄流路３０を経由させて血液浄化器１０に流通させた後、排出流路５０を経由させて排出する処理（プライミング処理）を実現させる（プライミング実施工程）。
【００４０】
ここで、制御部９０は、気泡検知器４０がプライミング中に気泡を検知した場合に、第一の開閉弁７１で輸液流路７０を開放して第二の開閉弁５１で排出流路５０を閉塞するとともに、プライミングポンプ８０を逆転作動させることにより、輸液貯留部６０内の輸液を、輸液流路７０、排出流路５０、血液浄化器１０及び洗浄流路３０を順次経由させて、洗浄液貯留部２０へと供給する処理（気泡除去処理）を実現させる（気泡除去工程）。
【００４１】
以上説明した実施形態に係る血液浄化装置１においては、洗浄流路３０上に設けられた気泡検知器４０がプライミング中に気泡を検知した場合に、輸液貯留部６０から気泡検知器４０を経由して洗浄液貯留部２０へと輸液を供給するようにプライミングポンプ８０を作動させることができる。従って、洗浄流路３０に存在する気泡を輸液によって除去することができる。洗浄流路３０に存在する気泡を除去するために、排出流路７０に配置したプライミングポンプ８０を単に逆転させるだけでは、排出流路７０の末端から使用済みの排液や空気を吸い込むことになるが、本装置１のように気泡検知器４０と輸液貯留部６０との間に設けたプライミングポンプ８０を作動させて、輸液貯留部６０から気泡検知器４０を経由して洗浄液貯留部２０へと輸液を供給することにより、排出流路７０の末端から使用済みの排液や空気を吸い込むことを防止することができ、装置１の清潔性を維持することができる。
【００４２】
＜第二実施形態＞
次に、図２を用いて、本発明の第二実施形態に係る血液浄化装置１Ａについて説明する。本実施形態に係る血液浄化装置１Ａは、第一実施形態における開閉弁５１・７１を省き、輸液流路７０の位置を変更し、輸液ポンプ７２を設け、制御態様を変更したものであり、その他の構成については第一実施形態と実質的に同様である。従って、第一実施形態と共通する構成については、第一実施形態と同一の符号を付して詳細な説明を省略することとする。
【００４３】
本実施形態に係る血液浄化装置１Ａは、図２に示すように、血液浄化器１０、洗浄液貯留部２０、洗浄流路３０、気泡検知器４０、排出流路５０、輸液貯留部６０、輸液流路７０、輸液ポンプ７２、プライミングポンプ８０、制御部９０Ａ、等を備えている。血液浄化器１０、洗浄液貯留部２０、洗浄流路３０、気泡検知器４０、排出流路５０、輸液貯留部６０及びプライミングポンプ８０については、第一実施形態と同様であるので、詳細な説明を省略する。
【００４４】
本実施形態においては、図２に示すように、輸液流路７０を、排出流路５０上のプライミングポンプ８０よりも上流側に設けている。すなわち、本実施形態におけるプライミングポンプ８０は、排出流路５０上の輸液流路７０よりも下流側に配置されている。なお、本実施形態において「上流側」及び「下流側」とは、いずれも、プライミング時において洗浄液の流れる方向を基準としており、洗浄液貯留部２０側を「上流側」、排出流路５０の端部側を「下流側」と称している。
【００４５】
輸液ポンプ７２は、図２に示すように輸液流路７０上に設けられており、制御部９０Ａの制御の下で作動することにより、気泡除去処理を実現させる。
【００４６】
本実施形態における制御部９０Ａは、プライミングポンプ８０を正転作動させることにより、プライミング処理（洗浄液貯留部２０内の洗浄液を、洗浄流路３０を経由させて血液浄化器１０に流通させた後、排出流路５０を経由させて排出する処理）を実現させる。一方、制御部９０Ａは、気泡検知器４０がプライミング中に気泡を検知した場合に、プライミングポンプ８０を停止させて輸液ポンプ７２を作動させることにより、気泡除去処理（輸液貯留部６０内の輸液を、輸液流路７０、排出流路５０、血液浄化器１０及び洗浄流路３０を順次経由させて、洗浄液貯留部２０へと供給する処理）を実現させる。なお、輸液ポンプ７２の「作動」とは、輸液貯留部６０から排出流路５０へと輸液を供給するように輸液ポンプ７２を回転させることである。
【００４７】
また、本実施形態における制御部９０Ａは、気泡検知器４０がプライミング中に気泡を検知した場合に、輸液ポンプ７２を所定量作動させた後に警報を発生させる。なお、制御部９０Ａは、気泡検知器４０がプライミング中に気泡を検知した場合に、警報を発生させるとともに輸液ポンプ７２を停止させ、警報解除後に輸液ポンプ７２を作動させることもできる。また、制御部９０Ａは、操作者の指示に基づいて、警報解除後に輸液ポンプ７２を作動させることもできる。
【００４８】
次に、本実施形態に係る血液浄化装置１Ａのプライミング方法について説明する。
【００４９】
血液浄化装置１Ａの制御部９０Ａは、プライミングポンプ８０を正転作動させることにより、洗浄液貯留部２０内の洗浄液を、洗浄流路３０を経由させて血液浄化器１０に流通させた後、排出流路５０を経由させて排出する処理（プライミング処理）を実現させる（プライミング実施工程）。
【００５０】
ここで、制御部９０Ａは、気泡検知器４０がプライミング中に気泡を検知した場合に、プライミングポンプ８０を停止させて輸液ポンプ７２を作動させることにより、輸液貯留部６０内の輸液を、輸液流路７０、排出流路５０、血液浄化器１０及び洗浄流路３０を順次経由させて、洗浄液貯留部２０へと供給する処理（気泡除去処理）を実現させる（気泡除去工程）。
【００５１】
以上説明した実施形態に係る血液浄化装置１Ａによれば、第一実施形態に係る血液浄化装置１と同様の作用効果を得ることができる。
【００５２】
＜第三実施形態＞
次に、図３を用いて、本発明の第三実施形態に係る血液浄化装置１Ｂについて説明する。本実施形態に係る血液浄化装置１Ｂは、第二実施形態における輸液流路７０の位置を変更するとともに制御態様を変更したものであり、その他の構成については第二実施形態と実質的に同様である。従って、第二実施形態と共通する構成については、第二実施形態と同一の符号を付して詳細な説明を省略することとする。
【００５３】
本実施形態に係る血液浄化装置１Ｂは、図３に示すように、血液浄化器１０、洗浄液貯留部２０、洗浄流路３０、気泡検知器４０、排出流路５０、輸液貯留部６０、輸液流路７０、輸液ポンプ７２、プライミングポンプ８０、制御部９０Ｂ、等を備えている。血液浄化器１０、洗浄液貯留部２０、洗浄流路３０、気泡検知器４０、排出流路５０、輸液貯留部６０、輸液ポンプ７２及びプライミングポンプ８０については、第二実施形態と同様であるので、詳細な説明を省略する。
【００５４】
本実施形態においては、図３に示すように、輸液流路７０を、排出流路５０上のプライミングポンプ８０よりも下流側に設けている。すなわち、本実施形態におけるプライミングポンプ８０は、排出流路５０上の輸液流路７０よりも上流側に配置されている。なお、本実施形態において「上流側」及び「下流側」とは、いずれも、プライミング時において洗浄液の流れる方向を基準としており、洗浄液貯留部２０側を「上流側」、排出流路５０の端部側を「下流側」と称している。
【００５５】
本実施形態における制御部９０Ｂは、プライミングポンプ８０を正転作動させることにより、プライミング処理（洗浄液貯留部２０内の洗浄液を、洗浄流路３０を経由させて血液浄化器１０に流通させた後、排出流路５０を経由させて排出する処理）を実現させる。一方、制御部９０Ｂは、気泡検知器４０がプライミング中に気泡を検知した場合に、プライミングポンプ８０を逆転作動させて輸液ポンプ７２を作動させることにより、気泡除去処理（輸液貯留部６０内の輸液を、輸液流路７０、排出流路５０、血液浄化器１０及び洗浄流路３０を順次経由させて、洗浄液貯留部２０へと供給する処理）を実現させる。また、制御部９０Ｂは、プライミングポンプ８０を逆転作動させて輸液ポンプ７２を作動させる際に、プライミングポンプ８０の流量を輸液ポンプ７２の流量と同等かそれよりも小さくする。なお、プライミングポンプ８０の「正転作動」とは、洗浄液を上流側から下流側に流通させるようにプライミングポンプ８０を回転させることであり、「逆転作動」とは、その反対方向にプライミングポンプ８０を回転させることである。また、輸液ポンプ７２の「作動」とは、輸液貯留部６０から排出流路５０へと輸液を供給するように輸液ポンプ７２を回転させることである。
【００５６】
また、本実施形態における制御部９０Ｂは、気泡検知器４０がプライミング中に気泡を検知した場合に、プライミングポンプ８０及び輸液ポンプ７２を所定量作動させた後に警報を発生させる。なお、制御部９０Ｂは、気泡検知器４０がプライミング中に気泡を検知した場合に、警報を発生させるとともにプライミングポンプ８０及び輸液ポンプ７２を停止させ、警報解除後にプライミングポンプ８０及び輸液ポンプ７２を作動させることもできる。また、制御部９０Ｂは、操作者の指示に基づいて、警報解除後にプライミングポンプ８０及び輸液ポンプ７２を作動させることもできる。
【００５７】
次に、本実施形態に係る血液浄化装置１Ｂのプライミング方法について説明する。
【００５８】
血液浄化装置１Ｂの制御部９０Ｂは、プライミングポンプ８０を正転作動させることにより、洗浄液貯留部２０内の洗浄液を、洗浄流路３０を経由させて血液浄化器１０に流通させた後、排出流路５０を経由させて排出する処理（プライミング処理）を実現させる（プライミング実施工程）。
【００５９】
ここで、制御部９０Ｂは、気泡検知器４０がプライミング中に気泡を検知した場合に、プライミングポンプ８０を逆転作動させて輸液ポンプ７２を作動させることにより、輸液貯留部６０内の輸液を、輸液流路７０、排出流路５０、血液浄化器１０及び洗浄流路３０を順次経由させて、洗浄液貯留部２０へと供給する処理（気泡除去処理）を実現させる（気泡除去工程）。
【００６０】
以上説明した実施形態に係る血液浄化装置１Ｂによれば、第一実施形態に係る血液浄化装置１と同様の作用効果を得ることができる。
【００６１】
＜第四実施形態＞
次に、図４及び図５を用いて、本発明の第四実施形態に係る血液浄化装置１Ｃについて説明する。本実施形態に係る血液浄化装置１Ｃは、第二実施形態における輸液流路７０の位置を変更するとともに制御態様を変更したものであり、その他の構成については第二実施形態と実質的に同様である。従って、第二実施形態と共通する構成については、第二実施形態と同一の符号を付して詳細な説明を省略することとする。
【００６２】
本実施形態に係る血液浄化装置１Ｃは、図４に示すように、血液浄化器１０、洗浄液貯留部２０、洗浄流路３０、気泡検知器４０、排出流路５０、輸液貯留部６０、輸液流路７０、輸液ポンプ（補液ポンプ）７２、プライミングポンプ８０、制御部９０Ｃ、等を備えている。血液浄化器１０、洗浄液貯留部２０、洗浄流路３０、気泡検知器４０、排出流路５０、輸液貯留部６０、輸液ポンプ７２及びプライミングポンプ８０については、第二実施形態と同様であるので、詳細な説明を省略する。
【００６３】
本実施形態においては、図４に示すように、輸液流路７０を洗浄流路３０に接続している。本実施形態における制御部９０Ｃは、プライミングポンプ８０を正転作動させることにより、プライミング処理（洗浄液貯留部２０内の洗浄液を、洗浄流路３０を経由させて血液浄化器１０に流通させた後、排出流路５０を経由させて排出する処理）を実現させる。一方、制御部９０Ｃは、気泡検知器４０がプライミング中に気泡を検知した場合に、プライミングポンプ８０を停止させて輸液ポンプ７２を作動させることにより、気泡除去処理（輸液貯留部６０内の輸液を、輸液流路７０及び洗浄流路３０を順次経由させて、洗浄液貯留部２０へと供給する処理）を実現させる。なお、プライミングポンプ８０の「正転作動」とは、洗浄液を上流側から下流側に流通させるようにプライミングポンプ８０を回転させることであり、輸液ポンプ７２の「作動」とは、輸液貯留部６０から洗浄流路３０へと輸液を供給するように輸液ポンプ７２を回転させることである。
【００６４】
また、本実施形態における制御部９０Ｃは、気泡検知器４０がプライミング中に気泡を検知した場合に、輸液ポンプ７２を所定量作動させた後に警報を発生させる。なお、制御部９０Ｃは、気泡検知器４０がプライミング中に気泡を検知した場合に、警報を発生させるとともに輸液ポンプ７２を停止させ、警報解除後に輸液ポンプ７２を作動させることもできる。また、制御部９０Ｃは、操作者の指示に基づいて、警報解除後に輸液ポンプ７２を作動させることもできる。
【００６５】
次に、本実施形態に係る血液浄化装置１Ｃのプライミング方法について説明する。
【００６６】
血液浄化装置１Ｃの制御部９０Ｃは、プライミングポンプ８０を正転作動させることにより、洗浄液貯留部２０内の洗浄液を、洗浄流路３０を経由させて血液浄化器１０に流通させた後、排出流路５０を経由させて排出する処理（プライミング処理）を実現させる（プライミング実施工程）。
【００６７】
ここで、制御部９０Ｃは、気泡検知器４０がプライミング中に気泡を検知した場合に、プライミングポンプ８０を停止させて輸液ポンプ７２を作動させることにより、輸液貯留部６０内の輸液を、輸液流路７０及び洗浄流路３０を順次経由させて、洗浄液貯留部２０へと供給する処理（気泡除去処理）を実現させる（気泡除去工程）。
【００６８】
以上説明した実施形態に係る血液浄化装置１Ｃによれば、第一実施形態に係る血液浄化装置１と同様の作用効果を得ることができる。
【００６９】
なお、血液浄化器１０が、膜の内側から外側（又はその逆）に液体が流通可能でかつ外側に透析液等の流体流通口を有する透析器等の場合には、輸液流路７０を洗浄流路３０に接続することに代えて、図５に示すように、輸液流路７０を血液浄化器１０に接続してもよい。このような構成を採用した場合においても、制御部９０Ｃで同様の制御を行うことにより、プライミング処理及び気泡除去処理を実現させることができる。かかる場合には、輸液ポンプ７２は、透析液ポンプとして機能することとなる。
【００７０】
＜第五実施形態＞
次に、図６を用いて、本発明の第五実施形態に係る血液浄化装置１Ｄについて説明する。本実施形態に係る血液浄化装置１Ｄは、第一実施形態における洗浄流路３０や排出流路５０の位置を変更するとともに制御態様を変更したものであり、その他の構成については第一実施形態と実質的に同様である。従って、第一実施形態と共通する構成については、第一実施形態と同一の符号を付して詳細な説明を省略することとする。
【００７１】
本実施形態に係る血液浄化装置１Ｄは、図６に示すように、血液浄化器１０、洗浄液貯留部２０、洗浄流路３０Ｄ、気泡検知器４０、排出流路５０Ｄ、輸液貯留部６０、輸液流路７０、プライミングポンプ８０、制御部９０Ｄ、等を備えている。血液浄化器１０、洗浄液貯留部２０、気泡検知器４０、輸液貯留部６０、輸液流路７０及びプライミングポンプ８０については、第一実施形態と同様であるので、詳細な説明を省略する。
【００７２】
本実施形態においては、洗浄流路３０Ｄとして、患者脱血部と血液浄化器１０を接続する動脈ラインを採用し、排出流路５０Ｄとして、患者返血部と血液浄化器１０を接続する静脈ラインを採用している。また、本実施形態においては、プライミングポンプ８０は洗浄流路３０Ｄに設けられており、輸液流路７０は排出流路５０Ｄに接続されており、
【００７３】
輸液流路７０には、制御部９０Ｄの制御の下で作動して輸液流路７０の開閉を行う第一の開閉弁７１が設けられている。また、排出流路５０Ｄの輸液流路７０よりも下流側には、制御部９０Ｄの制御の下で作動して排出流路５０Ｄの開閉を行う第二の開閉弁５１Ｄが設けられている。なお、本実施形態において「下流側」とは、プライミング時において洗浄液が流れる方向を基準としており、洗浄液貯留部２０側を「上流側」、第二の開閉弁５１Ｄ側を「下流側」と称している。すなわち、本実施形態のプライミング時における洗浄液の流れの方向は、第一〜第四実施形態における洗浄液の流れとは反対となる。
【００７４】
本実施形態における制御部９０Ｄは、第一の開閉弁７１で輸液流路７０を閉鎖して第二の開閉弁５１Ｄで排出流路５０Ｄを開放するとともにプライミングポンプ８０を正転作動させることにより、プライミング処理（洗浄液貯留部２０内の洗浄液を、洗浄流路３０Ｄを経由させて血液浄化器１０に流通させた後、排出流路５０Ｄを経由させて排出する処理）を実現させる。一方、制御部９０Ｄは、気泡検知器４０がプライミング中に気泡を検知した場合に、第一の開閉弁７１で輸液流路７０を開放して第二の開閉弁５１Ｄで排出流路５０Ｄを閉塞するとともにプライミングポンプ８０を逆転作動させることにより、気泡除去処理（輸液貯留部６０内の輸液を、輸液流路７０、排出流路５０Ｄ、血液浄化器１０及び洗浄流路３０Ｄを順次経由させて、洗浄液貯留部２０へと供給する処理）を実現させる。なお、プライミングポンプ８０の「正転作動」とは、洗浄液を上流側から下流側に流通させるようにプライミングポンプ８０を回転させることであり、「逆転作動」とは、その反対方向にプライミングポンプ８０を回転させることである。また、輸液ポンプ７２の「作動」とは、輸液貯留部６０から排出流路５０Ｄへと輸液を供給するように輸液ポンプ７２を回転させることである。
【００７５】
また、本実施形態における制御部９０Ｄは、気泡検知器４０がプライミング中に気泡を検知した場合に、プライミングポンプ８０を所定量作動させた後に警報を発生させる。なお、制御部９０Ｄは、気泡検知器４０がプライミング中に気泡を検知した場合に、警報を発生させるとともにプライミングポンプ８０を停止させ、警報解除後にプライミングポンプ８０を作動させることもできる。また、制御部９０Ｄは、操作者の指示に基づいて、警報解除後にプライミングポンプ８０を作動させることもできる。
【００７６】
次に、本実施形態に係る血液浄化装置１Ｄのプライミング方法について説明する。
【００７７】
血液浄化装置１Ｄの制御部９０Ｄは、プライミングポンプ８０を正転作動させることにより、洗浄液貯留部２０内の洗浄液を、洗浄流路３０Ｄを経由させて血液浄化器１０に流通させた後、排出流路５０Ｄを経由させて排出する処理（プライミング処理）を実現させる（プライミング実施工程）。
【００７８】
ここで、制御部９０Ｄは、気泡検知器４０がプライミング中に気泡を検知した場合に、第一の開閉弁７１で輸液流路７０を開放して第二の開閉弁５１Ｄで排出流路５０Ｄを閉塞するとともにプライミングポンプ８０を逆転作動させることにより、輸液貯留部６０内の輸液を、輸液流路７０、排出流路５０Ｄ、血液浄化器１０及び洗浄流路３０Ｄを順次経由させて、洗浄液貯留部２０へと供給する処理（気泡除去処理）を実現させる（気泡除去工程）。
【００７９】
以上説明した実施形態に係る血液浄化装置１Ｄによれば、第一実施形態に係る血液浄化装置１と同様の作用効果を得ることができる。
【００８０】
＜第六実施形態＞
次に、図７を用いて、本発明の第六実施形態に係る血液浄化装置１Ｅについて説明する。本実施形態に係る血液浄化装置１Ｅは、第五実施形態における開閉弁５１Ｄ・７１を省く代わりに輸液ポンプ７２を設けて制御態様を変更したものであり、その他の構成については第五実施形態と同様である。従って、第五実施形態と共通する構成については、第五実施形態と同一の符号を付して詳細な説明を省略することとする。
【００８１】
本実施形態に係る血液浄化装置１Ｅは、図７に示すように、血液浄化器１０、洗浄液貯留部２０、洗浄流路３０Ｄ、気泡検知器４０、排出流路５０Ｄ、輸液貯留部６０、輸液流路７０、輸液ポンプ７２、プライミングポンプ８０、制御部９０Ｅ、等を備えている。血液浄化器１０、洗浄液貯留部２０、洗浄流路３０Ｄ、気泡検知器４０、排出流路５０Ｄ、輸液貯留部６０、輸液流路７０及びプライミングポンプ８０については、第五実施形態と同様であるので、詳細な説明を省略する。
【００８２】
本実施形態における輸液ポンプ７２は、図７に示すように輸液流路７０上に設けられており、制御部９０Ｅの制御の下で作動することにより、気泡除去処理を実現させる。本実施形態における制御部９０Ｅは、プライミングポンプ８０を正転作動させることにより、プライミング処理（洗浄液貯留部２０内の洗浄液を、洗浄流路３０Ｄを経由させて血液浄化器１０に流通させた後、排出流路５０Ｄを経由させて排出する処理）を実現させる。一方、制御部９０Ｅは、気泡検知器４０がプライミング中に気泡を検知した場合に、プライミングポンプ８０を逆転作動させて輸液ポンプ７２を作動させることにより、気泡除去処理（輸液貯留部６０内の輸液を、輸液流路７０、排出流路５０Ｄ、血液浄化器１０及び洗浄流路３０Ｄを順次経由させて、洗浄液貯留部２０へと供給する処理）を実現させる。また、制御部９０Ｅは、プライミングポンプ８０を逆転作動させて輸液ポンプ７２を作動させる際に、プライミングポンプ８０の流量を輸液ポンプ７２の流量と同等かそれよりも小さくする。なお、プライミングポンプ８０の「正転作動」とは、洗浄液を上流側から下流側に流通させるようにプライミングポンプ８０を回転させることであり、「逆転作動」とは、その反対方向にプライミングポンプ８０を回転させることである。また、輸液ポンプ７２の「作動」とは、輸液貯留部６０から排出流路５０Ｄへと輸液を供給するように輸液ポンプ７２を回転させることである。
【００８３】
また、本実施形態における制御部９０Ｅは、気泡検知器４０がプライミング中に気泡を検知した場合に、プライミングポンプ８０及び輸液ポンプ７２を所定量作動させた後に警報を発生させる。なお、制御部９０Ｅは、気泡検知器４０がプライミング中に気泡を検知した場合に、警報を発生させるとともにプライミングポンプ８０及び輸液ポンプ７２を停止させ、警報解除後にプライミングポンプ８０及び輸液ポンプ７２を作動させることもできる。また、制御部９０Ｅは、操作者の指示に基づいて、警報解除後にプライミングポンプ８０及び輸液ポンプ７２を作動させることもできる。
【００８４】
次に、本実施形態に係る血液浄化装置１Ｅのプライミング方法について説明する。
【００８５】
血液浄化装置１Ｅの制御部９０Ｅは、プライミングポンプ８０を正転作動させることにより、洗浄液貯留部２０内の洗浄液を、洗浄流路３０Ｄを経由させて血液浄化器１０に流通させた後、排出流路５０Ｄを経由させて排出する処理（プライミング処理）を実現させる（プライミング実施工程）。
【００８６】
ここで、制御部９０Ｅは、気泡検知器４０がプライミング中に気泡を検知した場合に、プライミングポンプ８０を逆転作動させて輸液ポンプ７２を作動させることにより、輸液貯留部６０内の輸液を、輸液流路７０、排出流路５０Ｄ、血液浄化器１０及び洗浄流路３０Ｄを順次経由させて、洗浄液貯留部２０へと供給する処理（気泡除去処理）を実現させる（気泡除去工程）。
【００８７】
以上説明した実施形態に係る血液浄化装置１Ｅによれば、第一実施形態に係る血液浄化装置１と同様の作用効果を得ることができる。
【００８８】
＜第七実施形態＞
次に、図８を用いて、本発明の第七実施形態に係る血液浄化装置１Ｆについて説明する。本実施形態に係る血液浄化装置１Ｆは、第五実施形態における輸液流路７０の位置を変更するとともに制御態様を変更したものであり、その他の構成については第六実施形態と同様である。従って、第六実施形態と共通する構成については、第六実施形態と同一の符号を付して詳細な説明を省略することとする。
【００８９】
本実施形態に係る血液浄化装置１Ｆは、図８に示すように、血液浄化器１０、洗浄液貯留部２０、洗浄流路３０Ｄ、気泡検知器４０、排出流路５０Ｄ、輸液貯留部６０、輸液流路７０、輸液ポンプ７２、プライミングポンプ８０、制御部９０Ｆ、等を備えている。血液浄化器１０、洗浄液貯留部２０、洗浄流路３０Ｄ、気泡検知器４０、排出流路５０Ｄ、輸液貯留部６０、輸液ポンプ７２、プライミングポンプ８０については、第六実施形態と同様であるので、詳細な説明を省略する。
【００９０】
本実施形態においては、図８に示すように、輸液流路７０を、洗浄流路３０Ｄ上のプライミングポンプ８０よりも下流側に接続している。すなわち、本実施形態においては、プライミングポンプ８０が、洗浄流路３０Ｄ上の輸液流路７０よりも上流側に設けられている。なお、本実施形態において「上流側」及び「下流側」とは、プライミング時において洗浄液が流れる方向を基準としており、洗浄液貯留部２０側を「上流側」、排出流路５０Ｄの端部側を「下流側」と称している。
【００９１】
本実施形態における制御部９０Ｆは、プライミングポンプ８０を正転作動させることにより、プライミング処理（洗浄液貯留部２０内の洗浄液を、洗浄流路３０Ｄを経由させて血液浄化器１０に流通させた後、排出流路５０Ｄを経由させて排出する処理）を実現させる。一方、制御部９０Ｆは、気泡検知器４０がプライミング中に気泡を検知した場合に、プライミングポンプ８０を逆転作動させて輸液ポンプ７２を作動させることにより、気泡除去処理（輸液貯留部６０内の輸液を、輸液流路７０及び洗浄流路３０Ｄを順次経由させて、洗浄液貯留部２０へと供給する処理）を実現させる。また、制御部９０Ｆは、プライミングポンプ８０を逆転作動させて輸液ポンプ７２Ｅを作動させる際に、プライミングポンプ８０の流量を輸液ポンプ７２の流量と同等かそれよりも小さくする。なお、プライミングポンプ８０の「正転作動」とは、洗浄液を上流側から下流側に流通させるようにプライミングポンプ８０を回転させることであり、「逆転作動」とは、その反対方向にプライミングポンプ８０を回転させることである。また、輸液ポンプ７２の「作動」とは、輸液貯留部６０から洗浄流路３０Ｄへと輸液を供給するように輸液ポンプ７２を回転させることである。
【００９２】
また、本実施形態における制御部９０Ｆは、気泡検知器４０がプライミング中に気泡を検知した場合に、プライミングポンプ８０及び輸液ポンプ７２を所定量作動させた後に警報を発生させる。なお、制御部９０Ｆは、気泡検知器４０がプライミング中に気泡を検知した場合に、警報を発生させるとともにプライミングポンプ８０及び輸液ポンプ７２を停止させ、警報解除後にプライミングポンプ８０及び輸液ポンプ７２を作動させることもできる。また、制御部９０Ｆは、操作者の指示に基づいて、警報解除後にプライミングポンプ８０及び輸液ポンプ７２を作動させることもできる。
【００９３】
次に、本実施形態に係る血液浄化装置１Ｆのプライミング方法について説明する。
【００９４】
血液浄化装置１Ｆの制御部９０Ｆは、プライミングポンプ８０を正転作動させることにより、洗浄液貯留部２０内の洗浄液を、洗浄流路３０Ｄを経由させて血液浄化器１０に流通させた後、排出流路５０Ｄを経由させて排出する処理（プライミング処理）を実現させる（プライミング実施工程）。
【００９５】
ここで、制御部９０Ｆは、気泡検知器４０がプライミング中に気泡を検知した場合に、プライミングポンプ８０を逆転作動させて輸液ポンプ７２を作動させることにより、輸液貯留部６０内の輸液を、輸液流路７０及び洗浄流路３０Ｄを順次経由させて、洗浄液貯留部２０へと供給する処理（気泡除去処理）を実現させる（気泡除去工程）。
【００９６】
以上説明した実施形態に係る血液浄化装置１Ｆによれば、第一実施形態に係る血液浄化装置１と同様の作用効果を得ることができる。
【００９７】
＜第八実施形態＞
次に、図９を用いて、本発明の第八実施形態に係る血液浄化装置１Ｇについて説明する。本実施形態に係る血液浄化装置１Ｇは、第七実施形態における輸液流路７０の位置を変更したものであり、その他の構成については第七実施形態と同様である。従って、第七実施形態と共通する構成については、第七実施形態と同一の符号を付して詳細な説明を省略することとする。なお、本実施形態においては、血液浄化器１０として、膜の内側から外側（又はその逆）に液体が流通可能でかつ外側に透析液等の流体流通口を有する透析器等を採用することとする。
【００９８】
本実施形態に係る血液浄化装置１Ｇにおいては、図９に示すように、輸液流路７０が血液浄化器１０に接続されている。本実施形態における制御部９０Ｇは、プライミングポンプ８０を正転作動させることにより、プライミング処理（洗浄液貯留部２０内の洗浄液を、洗浄流路３０Ｄを経由させて血液浄化器１０に流通させた後、排出流路５０Ｄを経由させて排出する処理）を実現させる。一方、制御部９０Ｇは、気泡検知器４０がプライミング中に気泡を検知した場合に、プライミングポンプ８０を逆転作動させて輸液ポンプ７２を作動させることにより、気泡除去処理（輸液貯留部６０内の輸液を、輸液流路７０、血液処理器１０及び洗浄流路３０Ｄを順次経由させて、洗浄液貯留部２０へと供給する処理）を実現させる。なお、制御部９０Ｇは、プライミングポンプ８０を逆転作動させて輸液ポンプ７２を作動させる際に、プライミングポンプ８０の流量を輸液ポンプ７２の流量と同等かそれよりも小さくする。
【００９９】
また、本実施形態における制御部９０Ｇは、気泡検知器４０がプライミング中に気泡を検知した場合に、プライミングポンプ８０及び輸液ポンプ７２を所定量作動させた後に警報を発生させる。なお、制御部９０Ｇは、気泡検知器４０がプライミング中に気泡を検知した場合に、警報を発生させるとともにプライミングポンプ８０及び輸液ポンプ７２を停止させ、警報解除後にプライミングポンプ８０及び輸液ポンプ７２を作動させることもできる。また、制御部９０Ｇは、操作者の指示に基づいて、警報解除後にプライミングポンプ８０及び輸液ポンプ７２を作動させることもできる。
【０１００】
次に、本実施形態に係る血液浄化装置１Ｇのプライミング方法について説明する。
【０１０１】
血液浄化装置１Ｇの制御部９０Ｇは、プライミングポンプ８０を正転作動させることにより、洗浄液貯留部２０内の洗浄液を、洗浄流路３０Ｄを経由させて血液浄化器１０に流通させた後、排出流路５０Ｄを経由させて排出する処理（プライミング処理）を実現させる（プライミング実施工程）。
【０１０２】
ここで、制御部９０Ｇは、気泡検知器４０がプライミング中に気泡を検知した場合に、プライミングポンプ８０を逆転作動させて輸液ポンプ７２を作動させることにより、輸液貯留部６０内の輸液を、輸液流路７０、血液処理器１０及び洗浄流路３０Ｄを順次経由させて、洗浄液貯留部２０へと供給する処理（気泡除去処理）を実現させる（気泡除去工程）。
【０１０３】
以上説明した実施形態に係る血液浄化装置１Ｇによれば、第一実施形態に係る血液浄化装置１と同様の作用効果を得ることができる。
【０１０４】
＜第九実施形態＞
次に、図１０を用いて、本発明の第九実施形態に係る血液浄化装置１Ｈについて説明する。本実施形態に係る血液浄化装置１Ｈは、第五実施形態における輸液流路７０の位置を変更するとともに制御態様を変更したものであり、その他の構成については第五実施形態と同様である。従って、第五実施形態と共通する構成については、第五実施形態と同一の符号を付して詳細な説明を省略することとする。
【０１０５】
本実施形態に係る血液浄化装置１Ｈにおいては、図１０に示すように、輸液流路７０が、洗浄流路３０Ｄ上のプライミングポンプ８０よりも上流側に接続している。すなわち、本実施形態においては、プライミングポンプ８０が、洗浄流路３０Ｄ上の輸液流路７０よりも下流側に設けられている。なお、本実施形態において「上流側」及び「下流側」とは、プライミング時において洗浄液が流れる方向を基準としており、洗浄液貯留部２０側を「上流側」、排出流路５０Ｄの端部側を「下流側」と称している。
【０１０６】
本実施形態における制御部９０Ｈは、プライミングポンプ８０を正転作動させることにより、プライミング処理（洗浄液貯留部２０内の洗浄液を、洗浄流路３０Ｄを経由させて血液浄化器１０に流通させた後、排出流路５０Ｄを経由させて排出する処理）を実現させる。一方、制御部９０Ｈは、気泡検知器４０がプライミング中に気泡を検知した場合に、プライミングポンプ８０を停止させて輸液ポンプ７２を作動させることにより、気泡除去処理（輸液貯留部６０内の輸液を、輸液流路７０及び洗浄流路３０Ｄを順次経由させて、洗浄液貯留部２０へと供給する処理）を実現させる。なお、プライミングポンプ８０の「正転作動」とは、洗浄液を上流側から下流側に流通させるようにプライミングポンプ８０を回転させることであり、輸液ポンプ７２の「作動」とは、輸液貯留部６０から洗浄流路３０Ｄへと輸液を供給するように輸液ポンプ７２を回転させることである。
【０１０７】
また、本実施形態における制御部９０Ｈは、気泡検知器４０がプライミング中に気泡を検知した場合に、輸液ポンプ７２を所定量作動させた後に警報を発生させる。なお、制御部９０Ｈは、気泡検知器４０がプライミング中に気泡を検知した場合に、警報を発生させるとともに輸液ポンプ７２を停止させ、警報解除後に輸液ポンプ７２を作動させることもできる。また、制御部９０Ｈは、操作者の指示に基づいて、警報解除後に輸液ポンプ７２を作動させることもできる。
【０１０８】
次に、本実施形態に係る血液浄化装置１Ｈのプライミング方法について説明する。
【０１０９】
血液浄化装置１Ｈの制御部９０Ｈは、プライミングポンプ８０を正転作動させることにより、洗浄液貯留部２０内の洗浄液を、洗浄流路３０Ｄを経由させて血液浄化器１０に流通させた後、排出流路５０Ｄを経由させて排出する処理（プライミング処理）を実現させる（プライミング実施工程）。
【０１１０】
ここで、制御部９０Ｈは、気泡検知器４０がプライミング中に気泡を検知した場合に、プライミングポンプ８０を停止させて輸液ポンプ７２を作動させることにより、輸液貯留部６０内の輸液を、輸液流路７０及び洗浄流路３０Ｄを順次経由させて、洗浄液貯留部２０へと供給する処理（気泡除去処理）を実現させる（気泡除去工程）。
【０１１１】
以上説明した実施形態に係る血液浄化装置１Ｈによれば、第一実施形態に係る血液浄化装置１と同様の作用効果を得ることができる。
【０１１２】
なお、第五〜第九実施形態においては、洗浄流路３０Ｄとして、患者脱血部と血液浄化器１０を接続する動脈ラインを採用した例（図６〜図１０）を示したが、例えば図１１に示すように、動脈ライン１００に接続したプライミングライン１１０を洗浄流路の一部として使用することもできる。
【０１１３】
すなわち、図１１に示すように、プライミングライン１１０の先端に洗浄液貯留部２０を接続するとともに、プライミングライン１１０に気泡検知器４０を設けることができる。そして、制御部９０Ｄは、洗浄液貯留部２０内の洗浄液を、プライミングライン１１０及び動脈ライン１００を経由させて血液浄化器１０に流通させた後、排出流路５０Ｄを経由させて排出する処理（プライミング処理）を実現させることができる。一方、制御部９０Ｄは、気泡検知器４０がプライミング中に気泡を検知した場合に、第一の開閉弁７１で輸液流路７０を開放して第二の開閉弁５１Ｄで排出流路５０Ｄを閉塞するとともにプライミングポンプ８０を逆転作動させることにより、輸液貯留部６０内の輸液を、輸液流路７０、排出流路５０Ｄ、血液浄化器１０、動脈ライン１００及びプライミングライン１１０を順次経由させて、洗浄液貯留部２０へと供給する処理（気泡除去処理）を実現させることができる。なお、制御部９０Ｄは、プライミング処理及び気泡除去処理を実施する際に、第三の開閉弁１０１で動脈ライン１００を閉塞することとする。
【０１１４】
また、以上の各実施形態においては、動脈ラインや静脈ラインを排出流路とした例を示したが、透析における濾過ラインや透析液ライン等、洗浄液を排出できる他の流路を排出流路とすることもできる。
【０１１５】
また、以上の各実施形態においては、洗浄液及び輸液として生理食塩水を採用した例を示したが、血液浄化器の洗浄液や輸液として使用可能な他の液体（透析液、補液、新鮮凍結血漿、アルブミン、体腔液等）を採用することもできる。また、洗浄液貯留部２０及び輸液貯留部６０内の液体は、同一の液体である必要はなく、前記液体（透析液、補液、新鮮凍結血漿、アルブミン、体腔液等）の組み合わせであってもよい。
【０１１６】
また、以上の各実施形態においては、白血球除去療法（ＬＣＡＰ）に使用される血液浄化装置に本発明を適用した例を示したが、同様の構成（脱血ライン、血液ポンプ、第一輸液ライン、輸液容器、第一開閉弁、第二輸液ライン、第二開閉弁、輸液ポンプ等）を備える他の血液浄化装置に本発明を適用することもできる。例えば、単純血漿交換療法（ＰＥ）、二重濾過血漿交換療法（ＤＦＰＰ）、持続的血液濾過療法（ＣＨＦ）、持続的血液透析療法（ＣＨＤ）、持続的血液濾過透析療法（ＣＨＤＦ）等に使用される濾過・拡散用の血液浄化器を備えた血液浄化装置に本発明を適用することもできる。
【０１１７】
本発明は、以上の各実施形態に限定されるものではなく、これらの実施形態に当業者が適宜設計変更を加えたものも、本発明の特徴を備えている限り、本発明の範囲に包含される。すなわち、前記各実施形態が備える各要素及びその配置、材料、条件、形状、サイズ等は、例示したものに限定されるわけではなく適宜変更することができる。また、前記各実施形態が備える各要素は、技術的に可能な限りにおいて組み合わせることができ、これらを組み合わせたものも本発明の特徴を含む限り本発明の範囲に包含される。
【符号の説明】
【０１１８】
１・１Ａ〜１Ｈ…血液浄化装置
１０…血液浄化器
２０…洗浄液貯留部
３０・３０Ｄ…洗浄流路
４０…気泡検知器
５０・５０Ｄ…排出流路
５１・５１Ｄ…第二の開閉弁
６０…輸液貯留部
７０…輸液流路
７１…第一の開閉弁
７２…輸液ポンプ
８０…プライミングポンプ
９０・９０Ａ〜９０Ｈ…制御部
１００…動脈ライン（洗浄流路）
１１０…プライミングライン（洗浄流路）
【図１】
0006700481.tif 000002
【図２】
0006700481.tif 000003
【図３】
0006700481.tif 000004
【図４】
0006700481.tif 000005
【図５】
0006700481.tif 000006
【図６】
0006700481.tif 000007
【図７】
0006700481.tif 000008
【図８】
0006700481.tif 000009
【図９】
0006700481.tif 000010
【図１０】
0006700481.tif 000011
【図１１】
0006700481.tif 000012